(57)【要約】【課題】            先端に筆毛を植設した化粧料用塗布具において、筆毛の折れ毛の発生を防止する。【解決手段】        塗布棒４と、該塗布棒４の先端に止着され筆毛７が筒状の口金８により止着された塗布部６とよりなる構成において、前記口金８の先端面の内面及び外面の角部９をエッジにならないよう面取りする。また、前記筆毛７と口金８の間に、肉薄で軟質の保護チューブ１９を配置し、該チューブ１９の先端を口金８の先端より若干突出させる。以上のことにより、筆毛７が鋭角的に曲がるのを防ぎ、筆毛７の折れ毛を防止する。【選択図】          図１
2006043141.tif 000002
【特許請求の範囲】
【請求項１】
塗布棒４と、該塗布棒４の先端に止着され筆毛７が筒状の口金８により止着された塗布部６とよりなる構成において、
前記口金８の先端面の内面及び外面の角部９をエッジにならないよう面取りした事を特徴とする化粧用塗布具。
【請求項２】
塗布棒４と、該塗布棒４の先端に止着され筆毛７が筒状の口金８により止着された塗布部６とよりなる構成において、
前記筆毛７と口金８の間に、肉薄で軟質の保護チューブ１９を配置し、該チューブ１９の先端を口金８の先端より若干突出させたことを特徴とする化粧用塗布具。
【請求項３】
前記口金８と塗布棒４を一体に成形したことを特徴とする請求項１若しくは請求項２記載の化粧用塗布具。
【発明の詳細な説明】
【技術分野】
【０００１】
本発明は、白粉、ファンデーション、口紅、リップグロス、アイライナー、マニュキュアなどの化粧料を塗布する化粧用塗布具に関するものであり、塗布棒の先端に筆毛が筒状の口金により固定され塗布部を構成した化粧料用塗布具に関するものである。
【背景技術】
【０００２】
口紅、リップグロス、アイライナー、マニュキュアなどを収容した液状化粧料容器は、図３に示したように、液状化粧料１０を収容した容器本体１１と、該容器本体１１の口部１２に嵌合して容器本体１１内を密閉するキャップ１と、該キャップ１の嵌合穴２天井面より垂下し容器本体１１内に挿入される塗布棒４と、該塗布棒４の先端に止着され筆毛７が金属筒状の口金８内に束ねられた塗布部６と、前記容器本体１１口部１２内に塗布棒４に貫通された状態で止着され、塗布棒４通過時に塗布棒４に付着した液状化粧料１０を払拭するワイパー１４とより成っている。
【０００３】
しかし、ワイパー１４の払拭部１５の払拭穴１６の穴径は、塗布棒４及び塗布部６の口金８の外径よりも小径になっているため、図６に示すように、塗布棒４を容器本体１１内に挿入して塗布部６がワイパー１４の払拭部１５を通過する際、塗布部６の外周の筆毛７が、反対側に巻き込まれ、毛が折れてしまった。この折れ毛１７は、図７に示したように元に戻ることはなかった。したがって、塗布部６に折れ毛１７が発生すると、輪郭が上手に描けなかったり、周囲を汚してしまったり、塗布具の抜き差しに注意が必要になったりする致命的な問題が発生した。
【０００４】
そこで、特許文献１により口金の先端開口部が半径方向内側に向けて肉厚に成形して、口金の先端開口部内径をワイパーの払拭部の内径よりも小さくした液状化粧料容器が提案されている。
【０００５】
【特許文献１】特開２００３−１６９７１３号公報
【発明の開示】
【発明が解決しようとする課題】
【０００６】
この構成の場合、塗布部の筆毛の外径がワイパーの払拭部の内径よりも小さくなっているため、塗布棒を正確にワイパーの払拭部に挿入していけば、塗布部の筆毛はワイパーの払拭部に触れることなく通過できるのであるが、それは不可能に近かった。塗布部の挿入時に筆毛がワイパーの内壁に触れて筆毛を巻き込んでしまうほうが多く、折れ毛の根本的な問題の解決にはなっていなかった。
【０００７】
また、白粉、パウダーファンデーションなどを塗布するチークブラシや、口紅、リップグロスなどを塗布するリップブラシなどは、塗布部を保護するため塗布部にキャップを被嵌させていた。このキャップから塗布部を抜き差しするとき、同じように塗布部の筆毛を反対側に巻き込んでしまい、折れ毛を発生させてしまっていた。
【課題を解決するための手段】
【０００８】
塗布棒４と、該塗布棒４の先端に止着され筆毛７が筒状の口金８により止着された塗布部６とよりなる構成において、前記口金８の先端面の内面及び外面の角部９をエッジにならないよう面取りする。
【０００９】
塗布棒４と、該塗布棒４の先端に止着され筆毛７が筒状の口金８により止着された塗布部６とよりなる構成において、前記筆毛７と口金８の間に、肉薄で軟質の保護チューブ１９を配置し、該チューブ１９の先端を口金８の先端より若干突出させる。
【発明の効果】
【００１０】
折れ毛１７が発生する原因は、前述したように、塗布部６を容器本体１１口部１２に挿入する際、筆毛７を反対側に巻き込んだ状態で、ワイパー１４の払拭部１５を通過して、筆毛７が曲がってしまうことにある。また、折れ毛１７が元に戻らなくなってしまう原因は、図７に示したように、筆毛７に折れ目１８がついてしまうためである。また、折れ目１８がつく原因は、口金８の先端面の内面及び外面の角部９の形状にある。通常の口金８の製造工程としては、金属板を所定の筒状に成形した後、所定の長さに切断する。したがって、通常の口金８の先端面の角部９は、切断した時のままのきれいなエッジとなっており、このエッジに沿って筆毛７が曲げられるため、筆毛７に折れ目１８がついてしまい、復元不能となり折れ毛１７になってしまっていた。
【００１１】
本発明の、塗布部６の口金８の先端面の内面及び外面の角部９をエッジにならないよう面取りした構成は、図１に示したように、口金８先端部分の角部９は、内側、外側とも面取りされており、しかもその面取り形状も、エッジができないようアール形状で面取りされている。したがって、筆毛７が逆方向に巻き込まれた状態で塗布部６がワイパー１４の払拭部１５を通過してしまったとしても、図５に示したように、口金８先端部分の角部９の面取りにより、筆毛７に折れ目がつかず、筆毛７自身が持っている復元力により元の状態に戻るようになっている。
【００１２】
また、塗布部６の筆毛７と口金８の間に、肉薄で軟質の保護チューブ１９を配置し、該チューブ１９の先端を口金８の先端より若干突出させた構成は、筆毛７が鋭角に曲がらないよう、保護チューブ１９がクッションとなり筆毛７を保護する。したがって、塗布部６がワイパー１４の払拭部１５を通過するときに、筆毛７が逆方向に巻き込まれてしまったとしても、図２に示したように、保護チューブが筆毛を保護して鋭角的に曲がらないようにしているため、筆毛７に折れ目がつかず、筆毛７自身が持っている復元力により元の状態に戻るようになっている。
【００１３】
以上説明したように、本発明の化粧用塗布具は、塗布部６の口金８先端角部９をエッジにならないよう面取りする構成、及び塗布部６の筆毛７と口金８の間に肉薄で軟質の保護チューブ１９を配置し該チューブ１９の先端を口金８の先端より若干突出させた構成により、筆毛７が逆方向に巻き込まれた状態で塗布部６がワイパー１４の払拭部１５を通過してしまったり、キャップ１を嵌合させてしまったりしたとしても、筆毛７に復元不能な折れ目がつくのを防いでいる。したがって、本発明の化粧用塗布具は、筆毛７の折れ毛１７問題の根本を解消しているため、繰り返し使用しても、半永久的に折れ毛１７が発生することなく使用できるようになっている。
【発明を実施するための最良の形態】
【００１４】
本発明が実施できる液状化粧料容器の形態について説明する。（図３参照。）キャップ１は、下面より嵌合穴２が穿設されている。この嵌合穴２の内側面には、雌ネジ３が螺設されている。また嵌合穴２の天井面には、中央に塗布棒４が垂下しており、その塗布棒４の周囲には、パッキン５が貼着されている。この塗布棒４の先端には、塗布部６が設けられている。
【００１５】
この塗布部６は、筆毛７を筆状に束ね、この端部をアルミニウムパイプなどの金属筒状の口金８内に挿入、接着剤などにより止着して構成されている。そして、この口金８の後端部は、前記塗布棒４の先端に止着されている。
【００１６】
口紅、リップグロス、アイライナー、マニュキュアなどの液状化粧料１０を収容した容器本体１１は、上端にキャップ１が嵌合する口部１２を設けている。この口部１２の外周壁には、前記キャップ１の雌ネジ３が螺合する雄ネジ１３が螺設されている。そして、容器本体１１にキャップ１を嵌合させたとき、容器本体１１の口部１２上端がキャップ１内のパッキン５に当接して容器本体１１内を密閉するようになっている。
【００１７】
また、容器本体１１の口部１２内には、ゴムなどの弾性材より成形されたワイパー１４が内装止着されている。このワイパー１４には、弁状の払拭部１５が設けられている。この払拭部１５には、キャップ１の塗布棒４が貫通する払拭穴１６が設けられている。この払拭穴１６の内径は、前記塗布棒４の外径よりも若干小径になっており、この払拭部１５を塗布棒４及び塗布部６が通過する際、塗布棒４に付着した液状化粧料１０を払拭するようになっている。
【００１８】
なお、口金８の横断面形状は、円形状ばかりでなく、扁平な楕円形状、トラック形状や、丸形状以外の非円形状においても実施可能であることは言うまでもない。また、図４に示したように、容器本体１１の口部１２上端にパッキン５を止着して、この部分をキャップ１の嵌合穴２天井面に当接させて容器本体１１内を密閉させてもよい。この場合、前記ワイパー１４の上端を容器本体１１の口部１２上端を覆うまで延設して、パッキン５とワイパー１４を一体に構成してもよい。さらに、図８で示したような、塗布部６にキャップ１が嵌合する形態の塗布具に対しても実施可能である。
【実施例】
【００１９】
上記構成において、前記口金８の先端面の内側及び外側の角部９を面取りする。この面取り形状としては、口金８の先端部分にエッジがなくなるよう面取りすればよく、アール形状でも、ストレート形状でもよい。（図１）
【００２０】
上記構成において、前記口金８の先端面の筆毛７と口金８の間には、ＰＥＴフィルム、ＰＰフィルム、ポリエステルフィルムなどの樹脂フィルムチューブ１９を挿入止着する。この樹脂フィルムチューブ１９は、肉厚が０．０５ｍｍ程度のきわめて薄いもので、ある程度の伸縮性を有している。このチューブ１９の先端は、口金８の先端部分よりわずかに突出している。（図２）
【００２１】
上記実施例においては、塗布棒４と塗布部６の口金８を別体にした構成について説明したが、塗布棒４と口金８を一体にした構成に対しても実施可能である。この場合、塗布棒４と口金８は、同一材質となる。
【図面の簡単な説明】
【００２２】
【図１】本発明液状化粧料容器実施例１の口金の部分拡大断面図である。
【図２】本発明液状化粧料容器実施例２の口金の部分拡大断面図である。
【図３】本発明が実施される液状化粧料容器の正面断面図である。
【図４】本発明が実施される液状化粧料容器他の一例の正面断面図である。
【図５】本発明液状化粧料用塗布具の口金がワイパーの払拭部を通過する際の部分拡大断面図である。
【図６】従来の液状化粧料用塗布具の口金がワイパーの払拭部を通過する際の部分拡大断面図である。
【図７】従来の液状化粧料用塗布具の筆毛が折れ毛となった状態の部分拡大断面図である。
【図８】本発明が実施される塗布具の一例の正面断面図である。
【符号の説明】
【００２３】
４    塗布棒
６    塗布部
７    筆毛
８    口金
９    角部
１７    折れ毛
１９    チューブ
【図１】
2006043141.tif 000003
【図２】
2006043141.tif 000004
【図３】
2006043141.tif 000005
【図４】
2006043141.tif 000006
【図５】
2006043141.tif 000007
【図６】
2006043141.tif 000008
【図７】
2006043141.tif 000009
【図８】
2006043141.tif 000010